【手続補正書】
【提出日】平成19年2月9日(2007.2.9)
【手続補正１】
【補正対象書類名】特許請求の範囲
【補正対象項目名】全文
【補正方法】変更
【補正の内容】
【特許請求の範囲】
【請求項１】
筆記具カートリッジであって、
第１のポリマー材料を含む内側層を有し、この第１のポリマー材料は、筆記用媒体に対し十分な抗濡れ性を備え、前記第１のポリマー材料が前記筆記用媒体の実質的に明確な排出能力を示すようになっており、
第２のポリマー材料を含む外側層と、
筆記用媒体リザーバの一端部に結合された筆記用先端部とを有し、
前記内側層材料及び前記外側層材料は半透明性を有し、組み合わされると、前記筆記用媒体リザーバは、ユーザが前記筆記用媒体リザーバ内の前記筆記用媒体のレベルを外部から目で見て観察できるようにするのに十分な半透明性を示し、
前記内側層材料及び前記外側層材料は、前記ユーザによる前記筆記用媒体リザーバの通常の取扱い及び通常の用い方が前記半透明性、前記実質的に明確な排出能力及び前記筆記用媒体リザーバの別の通常の機能のうちの１つ又は２つ以上に実質的に影響を及ぼさないように、十分に適合性がある、
筆記具カートリッジ。
【請求項２】
筆記具であって、
第１のポリマー材料を含む内側層を有し、この第１のポリマー材料は、筆記用媒体に対し十分な抗濡れ性を備え、前記第１のポリマー材料が流体の実質的に明確な排出能力を示すようになっており、
第２のポリマー材料を含む外側層を有し、
管状構造体の一端部に結合された筆記用先端部を有し、
軸を有し、この軸の少なくとも一部は、ユーザが前記管状構造体内に入っている流体のレベルを外部から目で見て観察できるようにするのに十分なほど半透明であり、
前記内側層材料及び前記外側層材料は半透明性を有し、組み合わされると、前記管状構造体は、ユーザが前記管状構造体内の前記流体のレベルを外部から目で見て観察できるようにするのに十分な半透明性を示すようになっており、
前記内側層材料及び前記外側層材料は、前記ユーザによる前記管状構造体の通常の取扱い及び通常の用い方が前記半透明性、前記実質的に明確な排出能力及び前記管状構造体の別の通常の機能のうちの１つ又は２つ以上に実質的に影響を及ぼさないように、十分に適合性がある、
筆記具。
【請求項３】
前記筆記用媒体リザーバの前記内側層材料は、本質的に実質的に弗素化された繰返し単位を含むポリマー又はコポリマーを含む、請求項２記載の筆記具。
【請求項４】
前記内側層材料は、弗素化エチレン−プロピレン及び又はペルフルオロアルコキシポリマーを含む、請求項２記載の筆記具。
【請求項５】
前記内側層材料の厚さは、少なくとも約１０ミクロンである、請求項２記載の筆記具。
【請求項６】
前記軸及び前記筆記用媒体リザーバは、組み合わされると、ＡＳＴＭ  Ｄ１００３によれば少なくとも約８０％の光学的光透過率を示す、請求項２記載の筆記具。
【請求項７】
筆記用媒体の表面張力と前記筆記用媒体リザーバの前記内側層材料の筆記用媒体との接触面の表面エネルギの差は、少なくとも約５ｍＮ／ｍである、請求項２記載の筆記具。
【請求項８】
管状構造体であって、
第１のポリマー材料を含む内側層を有し、この第１のポリマー材料は、流体に対し十分な抗濡れ性を備え、前記第１のポリマー材料は、流体の実質的に明確な排出能力を示すようになっており、
第２のポリマー材料を含む外側層を有し、
前記内側層材料及び前記外側層材料は半透明性を有し、組み合わされると、前記管状構造体は、ユーザが前記管状構造体内の前記流体のレベルを外部から目で見て観察できるようにするのに十分な半透明性を示すようになっており、
前記内側層材料及び前記外側層材料は、前記ユーザによる前記管状構造体の通常の取扱い及び通常の用い方が前記半透明性、前記実質的に明確な排出能力及び前記管状構造体の別の通常の機能のうちの１つ又は2つ以上に実質的に影響を及ぼさないように、十分に適合性がある、
管状構造体。
【請求項９】
前記内側層材料と前記外側層材料は、互いに異なる、請求項８記載の管状構造体。
【請求項１０】
前記内側層材料は、シロキサン基を含むホモポリマー又はコポリマー、少なくとも部分的に弗素化された繰返し単位を含むホモポリマー又はコポリマー及びこれらの組合せを含む群から選択される、請求項８記載の管状構造体。
【請求項１１】
前記筆記用媒体リザーバの前記内側層材料は、本質的に実質的に弗素化された繰返し単位を含むポリマー又はコポリマーを含む、請求項１０記載の筆記具。
【請求項１２】
前記内側層材料は、弗素化エチレン−プロピレン、ペルフルオロアルコキシポリマー又はこれら両方を含む、請求項１１記載の管状構造体。
【請求項１３】
前記内側層材料の厚さは、少なくとも約１０ミクロンである、請求項８記載の管状構造体。
【請求項１４】
前記内側層材料の厚さは、約３ｍｍ以下である、請求項８記載の管状構造体。
【請求項１５】
前記外側層材料は、前記管状構造体の使用中、実質的に不撓性である、請求項８記載の管状構造体。
【請求項１６】
ＡＳＴＭ  Ｄ１００３によれば少なくとも約８０％の光学的光透過率を示す、請求項８記載の管状構造体。
【請求項１７】
流体の表面張力と前記内側層材料の流体接触面の表面エネルギの差は、少なくとも約５ｍＮ／ｍである、請求項８記載の管状構造体。
【請求項１８】
前記外側層材料は、少なくとも約１４００ｐｓｉの引張弾性率、少なくとも約１０5ｐｓｉの曲げ弾性率、少なくとも約２０００ｐｓｉの引張強度、約１００％以下の伸び率パーセントのうちの１つ又は２つ以上を示す、請求項８記載の管状構造体。
【請求項１９】
内側層及び外側層を有する実質的に明確な排出能力を示す管状構造体の製造方法であって、
第１のポリマー材料を含む内側層材料を選択することを含み、前記第１のポリマー材料が選択された流体に対し十分な抗濡れ性を備え、前記第１のポリマー材料が流体の実質的に明確な排出能力を示すようになっており、
第２のポリマー材料を含む外側層材料を選択し、
前記内側層及び前記外側層を有する多層管状構造体を形成することを含み、
前記管状構造体は、ユーザが前記管状構造体内の前記流体のレベルを外部から目で見て観察できるようにするのに十分な半透明性を示すようになっており、
前記内側層材料及び前記外側層材料は、前記ユーザによる前記管状構造体の通常の取扱い及び通常の用い方が前記透明性、前記実質的に明確な排出能力及び又は前記管状構造体の別の通常の機能のうちの１つ又は2つ以上に実質的に影響を及ぼさないように、十分に適合性がある、
方法。
【請求項２０】
前記内側層材料は、ポリシロキサンホモポリマー又はコポリマー、少なくとも部分的に弗素化された繰返し単位を有するポリマー又はコポリマー、又はこれら両方を含む、請求項１９記載の方法。
【請求項２１】
前記管状構造体の使用中実質的に不撓性であるように前記外側層材料を選択して形成することを含む、請求項１９記載の方法。
【請求項２２】
前記内側層材料及び前記外側層材料を同時押出し成形することを含む、請求項１９記載の方法。
【請求項２３】
前記多層管状構造体を形成する前記工程は、前記内側層材料及び前記外側層材料を同時押出し成形することを含む、請求項１９記載の方法。
【請求項２４】
前記繰返し単位の少なくとも一部がシロキサン基、少なくとも部分的に弗素化された繰返し単位又はこれらの組合せを含むホモポリマー又はコポリマーを含む群から前記第２のポリマー材料を選択することを含む、請求項１９記載の方法。
【請求項２５】
実質的に明確な排出能力を示す管状構造体の製造方法であって、前記方法は、内側層材料及び外側層材料を有する多層管状構造体を同時押出し成形することを含み、
前記内側層材料は、ポリマー材料を含み、このポリマー材料は、選択された流体に対し十分な抗濡れ性を備え、第１のポリマー材料が、流体の実質的に明確な排出能力を示すようになっており、
前記外側層材料は、十分に半透明であり、前記内側層材料は、十分に薄く、同時押出し成形されると、前記管状構造体は、ユーザが前記管状構造体内の前記流体のレベルを外部から目で見て観察できるようにするのに十分な半透明性を示すようになっており、
前記内側層材料及び前記外側層材料は、前記ユーザによる前記管状構造体の通常の取扱い及び通常の用い方が前記半透明性、前記実質的に明確な排出能力及び前記管状構造体の別の通常の機能のうち１つ又は2つ以上に実質的に影響を及ぼさないように、十分に適合性がある、
方法。
【請求項２６】
前記内側層材料は、シロキサン基を含むホモポリマー又はコポリマー、少なくとも部分的に弗素化された繰返し単位を含むホモポリマー又はコポリマー及びこれらの組合せを含む群から選択される、請求項２５記載の方法。
【請求項２７】
前記内側層材料は、弗素化エチレン−プロピレン、ペルフルオロアルコキシポリマー又はこれら両方を含む、請求項２６記載の方法。
【請求項２８】
前記内側層材料の厚さは、約３ｍｍ以下である、請求項２５記載の方法。
【請求項２９】
選択された流体の表面張力と前記内側層材料の流体接触面の表面エネルギの差は、少なくとも約３ｍＮ／ｍである、請求項８記載の方法。
【請求項３０】
液体を収容し又は運ぶことができる多層管であって、
第１のポリマー材料を含む内側層を有し、この第１のポリマー材料は、液体に対し十分な抗濡れ性を備え、前記第１のポリマー材料は、液体の実質的に明確な排出能力を示すようになっており、前記第１のポリマー材料は、少なくとも部分的に弗素化された繰返し単位を有するポリマー又はコポリマーを含み、
前記内側層と同時押出し成形され、第２のポリマー材料を含む外側層を有し、
前記内側層材料及び前記外側層材料は、共に十分に半透明であり、液体を外部から目で見て観察することができるよう共に十分に半透明であり、
前記内側層材料及び前記外側層材料は、前記多層管の通常の取扱い及び通常の用い方が前記透明性又は半透明性、前記実質的に明確な排出能力又は前記多層管の他の通常の機能に影響を実質的に及ぼさないように、十分に適合性がある、
多層管。
【請求項３１】
前記内側層材料は、弗素化エチレン−プロピレン及び又はペルフルオロアルコキシポリマーを含む、請求項３０記載の多層管。
【請求項３２】
前記内側層材料の厚さは少なくとも約１０ミクロンである、請求項３０記載の多層管。
【請求項３３】
前記内側層材料の厚さは約３ｍｍ以下である、請求項３０記載の多層管。
【請求項３４】
前記外側層材料は、前記管の使用中、実質的に不撓性である、請求項３０記載の多層管。
【請求項３５】
ＡＳＴＭ  Ｄ１００３によれば少なくとも約８０％の光学的光透過率を示す、請求項３０記載の多層管。
【請求項３６】
液体の表面張力と前記内側層材料の液体接触面の表面エネルギの差は、少なくとも約５ｍＮ／ｍである、請求項３０記載の多層管。